(57)【要約】      （修正有）【課題】特に引っ掛かりフックを具備しない被取付け物体にも掛止することができる工具収納装置を提供する。【解決手段】収納具１０と取付け具２０を含み、前記収納具１０は、収納部１１と連結用表面１２を備え、前記取付け具２０は、軟質連結部材２１と取付け部２２を備える。前記軟質連結部材２１は、一端が前記連結用表面１２に固定され、他端が前記取付け部２２に連結され、前記取付け部２２は、前記収納具１０を被取付け物体に一時的に取付けるのに供する剛性構造で構成されると共に、取付け本体２２１と、二つの掛止部２２２を備える。前記取付け本体２２１の表面には、ウェーブ状の軟質保護部２２３を設置し、前記各掛止部２２２の表面には、滑り止め用突起２２４を形成する。【選択図】図２
0003145792.tif 000002
【実用新案登録請求の範囲】
【請求項１】
工具収納装置であって、一つの収納部と一つの連結用表面を有する収納具と、一つの軟質連結部材と一つの取付け部を有する取付け具と、を含み、
前記軟質連結部材は、一端が前記連結用表面に固定され、他端が前記取付け部に連結され、前記取付け部は、前記収納具を被取付け物体に一時的に取付けるのに供する剛性構造を備えることを特徴とする、工具収納装置。
【請求項２】
前記軟質連結部材は、２本の軟質ベルト、又は一枚の軟質連結シート片により構成されると共に、前記収納具の背部に配設されることを特徴とする、請求項１に記載の工具収納装置。
【請求項３】
前記取付け部は、所定の取付け長さを有する棒状部材により構成されると共に、一つの取付け本体と、二つの掛止部を備え、
前記取付け本体の表面には、ウェーブ状の軟質保護部が設置され、
前記二つの掛止部は、前記取付け本体の両端側にそれぞれ配設され、前記各掛止部の表面には、滑り止め用突起が形成され、これにより、前記被取付け物体との摩擦力を高めることができる一方、
前記被取付け物体は、梯子であって、前記梯子は、少なくとも２本の長支持部材を連結する複数の短支持部材を有し、前記２本の長支持部材間には、前記取付け長さより短い当止長さがあり、しかも前記取付け部を配設し、且つ前記２本の長支持部材間の一つの前記短支持部材に前記軟質連結部材を吊持させることを特徴とする、請求項１に記載の工具収納装置。
【考案の詳細な説明】
【技術分野】
【０００１】
本考案は、工具収納装置に係り、特に引っ掛かりフックを具備しない梯子にも掛止することができ、しかも収納装置の取付け又は取外しを迅速に行うことができると共に、掛止と手提げを兼用することができる取付け部と、掛止に必要な摩擦力を高めることができる滑り止め用突起とを備える、梯子に取付け可能な工具収納装置に関する。
【背景技術】
【０００２】
大型手提げ式工具袋は、大型工事において作業員の必須携帯用具であり、例えば、作業員が梯子（逆Ｖ字型梯子）を昇って高い場所で作業（天井での電路配線）を行う時に、業務用工具（ハンマー、ペンチ等の工具）を常に交換して使用しなければならず、その交換の都度、梯子を昇ったり、降りたりする必要があるため、かなり不便で、しかも作業進度に影響を及ぼす。また、その昇降過程において、作業員が梯子から落下する危険性がある。さらに大型工具袋を梯子に提げる必要があり、梯子に工具袋を引っ掛ける設計がない場合、前記梯子に前記工具袋を縛り付けるのが一般である。しかし、縛り付けすぎると、取り外しが難しくなり、逆に縛り付けが不十分な場合、工具袋が落下し、人に直撃し、死傷する事故を起こす可能性がある。また、施工用機械に直撃して機械を損壊するという問題もある。
【考案の開示】
【考案が解決しようとする課題】
【０００３】
本考案は上記従来技術の欠点を除去するもので、その主な目的は、引っ掛かりフックを具備しない梯子に掛止することができる、梯子に取付け可能な工具収納装置を提供することにある。
【０００４】
本考案の前記に次ぐ目的は、収納装置の取付け又は取外しを迅速に行うことができる、梯子に取付け可能な工具収納装置を提供することにある。
【０００５】
本考案の前記に次ぐ目的は、掛止と手提げを兼用することができる取付け部を備える、梯子に取付け可能な工具収納装置を提供することにある。
【０００６】
本考案の前記に次ぐ目的は、掛止と手提げを兼用することができる取付け部を備える、梯子に取付け可能な工具収納装置を提供することにある。
【０００７】
本考案の前記に次ぐ目的は、掛止に必要な摩擦力を高めることができる滑り止め用突起を備える、梯子に取付け可能な工具収納装置を提供することにある。
【課題を解決するための手段】
【０００８】
本願の請求項１の考案は、工具収納装置であって、一つの収納部と一つの連結用表面を有する収納具と、一つの軟質連結部材と一つの取付け部を有する取付け具と、を含み、前記軟質連結部材は、一端が前記連結用表面に固定され、他端が前記取付け部に連結され、前記取付け部は、前記収納具を被取付け物体に一時的に取付けるのに供する剛性構造を備えることを特徴とする。
【０００９】
本願の請求項２の考案は、請求項１に記載の工具収納装置において、前記軟質連結部材は、２本の軟質ベルト、又は一枚の軟質連結シート片により構成されると共に、前記収納具の背部に配設されることを特徴とする。
【００１０】
本願の請求項３の考案は、請求項１に記載の工具収納装置において、前記取付け部は、所定の取付け長さを有する棒状部材により構成されると共に、一つの取付け本体と、二つの掛止部を備え、前記取付け本体の表面には、ウェーブ状の軟質保護部が設置され、前記二つの掛止部は、前記取付け本体の両端側にそれぞれ配設され、前記各掛止部の表面には、滑り止め用突起が形成され、これにより、前記被取付け物体との摩擦力を高めることができる一方、前記被取付け物体は、梯子であって、前記梯子は、少なくとも２本の長支持部材を連結する複数の短支持部材を有し、前記２本の長支持部材間には、前記取付け長さより短い当止長さがあり、前記取付け部を設け、且つ前記２本の長支持部材間の一つの前記短支持部材に前記軟質連結部材を吊持させることを特徴とする。
【考案の効果】
【００１１】
本考案は、以下の優れた機能を有している。
１．梯子に工具収納装置を取付けることができる。本考案では、取付け具を配設することで、前記取付け具の取付け部によって、引っ掛かりフックを具備しない梯子にも収納具をしっかりと確実に引っ掛けることができ、しかも構造が簡便で、使用も便利である。
【００１２】
２．工具収納装置の取付け又は取外しを迅速に行うことができる。本考案では、所定の取付け長さを有する棒状部材により構成される取付け部を梯子の２本の長支持部材間に斜めにして挿入し、手放すことによって、工具収納装置を梯子に取付けることができる。取外し時には、前記取付け部を傾斜して梯子の２本の長支持部材間から取出すだけで済む。故に、取付け又は取外しともに速い。
【００１３】
３．取付け部は取付け又は手提げを兼用することができる。本考案では、前記取付け部は、取付け本体が軟質保護部により被覆される剛性構造であるため、掛止部が引っ掛かりの機能を担う以外、取付け本体が手提げの機能を提供することもでき、かつ、軟質保護部が手提げ時の快適性を増すこともできる。
【００１４】
４．掛止部は、取り付けに必要な摩擦力を高める滑り止め用突起を具備する。本考案では、掛止部の表面に複数の滑り止め用突起を形成しているので、これにより、前記掛止部と梯子の長（又は短）支持部材との間の摩擦力を増すことができ、前記掛止部での滑動を防止することができる。
【考案を実施するための最良の形態】
【００１５】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１６】
図１と図２に示すように、本考案に係わる梯子に取付け可能な工具収納装置は、収納具１０と、取付け具２０とを含む。前記収納具１０は、少なくとも一つの収納部１１と一つの連結用表面１２を備える。
【００１７】
前記取付け具２０は、少なくとも一つの軟質連結部材２１と一つの取付け部２２とを含む。前記軟質連結部材２１は、一端が前記連結用表面１２に固定され、他端が前記取付け部２２に連結される。前記取付け部２２は、所定の取付け長さＬ１を有する剛性構造で構成される。これによって、前記収納具１０を被取付け物体９１に一時的に取り付ける（図４と図５を参照）。
【００１８】
実際には、前記軟質連結部材２１を前記収納具１０の背部に配設する。前記軟質連結部材２１は、２本の軟質ベルト、又は一枚の軟質連結シート片の何れかの１部材により構成されており、少なくとも前記取付け具２０を第一位置Ｐ１（図２を参照）と、第二位置Ｐ２（図３を参照）との間に移動させることができる。
【００１９】
前記取付け部２２は、一つの取付け本体２２１と、二つの掛止部２２２を備える。前記取付け本体２２１の表面には、ウェーブ状の軟質保護部２２３を設置する。前記二つの掛止部２２２は、前記取付け本体２２１の両端側にそれぞれ配設される。前記各掛止部２２２の表面には、滑り止め用突起を形成する。これにより、被取付け物体９１間の摩擦力を高めることができ、故に収納具１０をしっかりと確実に取り付け、滑動はしない。
【００２０】
ここで、前記被取付け物体９１は、梯子（例えば、逆Ｖ字型梯子）である。
【００２１】
前記取付け部２２は、前記梯子９１の２本の長支持部材９１１、９１１間に掛止される。且つ、前記軟質連結部材２１は前記長支持部材９１１、９１１間に跨設された短支持部材９１２によって吊持される。前記各掛止部２２２の表面には滑り止め用突起２２４を形成し、この滑り止め用突起２２４と前記長支持部材９１１又は前記短支持部材９１２との間の摩擦力によって、引っ掛かることができる。なお、前記２本の長支持部材９１１、９１１間は、取付け長さＬ１より短い当止長さ（距離）Ｌ２を有する。
【００２２】
本考案の取付け動作を説明すると、まず、前記取付け部２２の一つの掛止部２２２を斜めにし、２本の長支持部材９１１、９１１間に挿入する（図６Ａにおける第三位置Ｐ３を参照）。次に、もう一つの掛止部２２２を取付ける（図６Ｂにおける第四位置Ｐ４を参照）。これにより、前記取付け部２２を被取付け物体９１の開口部に位置させる（即ち、２本の長支持部材９１１、９１１間に置く）。
【００２３】
その後、収納具１０を手放す。そして、前記収納具１０の重量によって、前記取付け部２２の二つの掛止部２２２を被取付け物体９１（梯子９１）の２本の長支持部材９１１、９１１間に引っ掛ける（図６Ｃにおける第五位置Ｐ５）。しかも、前記長支持部材９１１、９１１間の短支持部材９１２によって、前記軟質連結部材２１を丁度吊持する。これにより、工具を内置された収納具１０を被取付け物体９１の所定位置に取付ける。
【００２４】
なお、上記実施例は、本考案の好適な実施の形態を示したものにすぎず、これらは決して本考案を限定するものではない。本考案の主旨と領域を脱しない範囲内で各種の変更や修正を加えることができる。従って、本考案の実用新案登録請求の範囲は、このような変更や修正を含めて広く解釈されるべきである。
【図面の簡単な説明】
【００２５】
【図１】本考案の工具収納装置の斜視図
【図２】本考案の工具収納装置の別の角度から見た斜視図
【図３】図２における一部構造の動作の説明図
【図４】本考案の工具収納装置を梯子に取付ける場合の説明図
【図５】図４における一部拡大の説明図
【図６Ａ】本考案の取付け部を梯子の長支持部材間に取付ける前の説明図
【図６Ｂ】本考案の取付け部を梯子の長支持部材間に取付けている状態の説明図
【図６Ｃ】本考案の取付け部を梯子の長支持部材間に取り付けた後の説明図
【符号の説明】
【００２６】
１０        収納具
１１        収納部
１２        連結用表面
２０        取付け具
２１        軟質連結部材
２２        取付け部
２２１      取付け本体
２２２      掛止部
２２３      軟質保護部
２２４      滑り止め用突起
９１        被取付け物体（又は梯子）
９１１      長支持部材
９１２      短支持部材
Ｌ１        取付け長さ
Ｌ２        当止長さ（距離）
Ｐ１        第一位置
Ｐ２        第二位置
Ｐ３        第三位置
Ｐ４        第四位置
Ｐ５        第五位置
【図１】
0003145792.tif 000003
【図２】
0003145792.tif 000004
【図３】
0003145792.tif 000005
【図４】
0003145792.tif 000006
【図５】
0003145792.tif 000007
【図６Ａ】
0003145792.tif 000008
【図６Ｂ】
0003145792.tif 000009
【図６Ｃ】
0003145792.tif 000010